(57)【特許請求の範囲】
【請求項１】
データを記録媒体に記録する記録方法であって、
前記記録媒体が、音声データ又は映像データの一方あるいは音声データと映像データとの両方を記録する音声／映像用記録媒体か、汎用データを記録する汎用データ用記録媒体かを判別する判別ステップと、
前記判別ステップにおける判別結果に応じて、前記データを前記記録媒体に記録する記録制御方式を選定し、選定された前記記録制御方式に基づいて前記データの前記記録媒体への記録を制御する制御ステップと、を有することを特徴とする記録方法。
【請求項２】
データを記録媒体に記録する記録方法であって、
前記データを前記記録媒体に記録する記録装置の本体が、音声／映像データを前記記録媒体に記録可能な音声／映像用記録装置であるか、汎用的な情報処理が可能であると共に音声／映像データを前記記録媒体に記録可能な音声／映像データ用汎用記録装置であるか、汎用的な情報処理が可能であると共に汎用データを前記記録媒体に記録可能な汎用データ用汎用記録装置であるかを判別する判別ステップと、
前記判別ステップにおける判別結果に応じて、前記データを前記記録媒体に記録する記録制御方式を選定し、選定された前記記録制御方式に応じて前記データの前記記録媒体への記録を制御する制御ステップと、を有することを特徴とする記録方法。
【請求項３】
記録媒体に記録されたデータを再生する再生方法であって、
前記記録媒体が、音声／映像データを記録する音声／映像用記録媒体か、汎用データを記録する汎用データ用記録媒体かを判別する記録媒体判別ステップと、
前記記録媒体の前記データを再生する再生装置本体の種類を判別する再生装置判別ステップと、
前記記録媒体判別ステップと、前記再生装置判別ステップの判別結果に応じて、前記記録媒体に記録された前記データを再生するか否かを制御する制御ステップと、
を有することを特徴とする再生方法。
【請求項４】
前記再生装置判別ステップにおいては、
前記記録媒体に記録される音声／映像データを再生可能な音声／映像用再生装置であるか、汎用的な情報処理が可能であると共に、前記記録媒体に記録される音声／映像データを再生可能な音声／映像データ用汎用再生装置であるか、或いは汎用的な情報処理が可能であると共に、前記記録媒体に記録する汎用データを再生可能な汎用データ用汎用再生装置であるか、を判別することを特徴とする請求項３に記載の再生方法。
【請求項５】
データを記録媒体に記録する記録装置であって、
前記記録媒体が、音声データ又は映像データの一方あるいは音声データと映像データとの両方を記録する音声／映像用記録媒体か、汎用データを記録する汎用データ用記録媒体かを判別する判別手段と、
前記判別手段の判別結果に応じて、前記データを前記記録媒体に記録する記録制御方式を選定し、選定された記録制御方式で前記データの前記記録媒体への記録を制御する制御手段と、
を備えることを特徴とする記録装置。
【請求項６】
データを記録媒体に記録する記録装置であって、
前記記録装置本体が、音声／映像データを前記記録媒体に記録可能な音声／映像用記録装置であるか、汎用的な情報処理が可能であると共に音声／映像データを前記記録媒体に記録可能な音声／映像データ用汎用記録装置であるか、汎用的な情報処理が可能であると共に汎用データを前記記録媒体に記録可能な汎用データ用汎用記録装置であるかを判別する判別手段と、
前記判別手段の判別結果に応じて、前記データを前記記録媒体に記録する記録制御方式を選定し、選定された記録制御方式で前記データの前記記録媒体への記録を制御する制御手段と、
を備えることを特徴とする記録装置。
【請求項７】
前記データから前記データの識別情報を検出する識別情報検出手段と、
前記データが前記記録媒体に記録されたとき、前記識別情報検出手段により検出された前記識別情報を記憶する記憶手段と、を備え、
前記制御手段は、前記記憶手段に前記識別情報が記憶されているとき、前記データの記録を禁止するように制御する請求項５又は請求項６に記載の記録装置。
【請求項８】
前記判別手段は、前記データが等速より高速で記録可能な記録媒体であるか否かを判別し、
前記制御手段は、前記判別手段においての判別結果に応じて前記データの前記記録媒体への記録を制御する請求項５又は請求項６に記載の記録装置。
【請求項９】
前記データを等速で前記記録媒体に記録するか、或いは前記データを前記等速より高速で前記記録媒体で記録するかを選択する記録速度選択手段を備え、
前記制御手段は前記記録速度選択手段で選択された記録速度に応じて前記データの前記記録媒体への記録を制御する請求項５又は請求項６に記載の記録装置。
【請求項１０】
前記データから前記データの次世代の複製を制限するための次世代複製制限データを検出する次世代複製制限データ検出手段を備え、
前記制御手段は、前記次世代複製制限データ検出手段により検出された前記次世代複製制限データに基づいて、前記データの前記記録媒体への記録を制御する請求項５又は請求項６に記載の記録装置。
【請求項１１】
前記判別手段は、前記記録媒体との双方向通信を行うことにより、前記記録媒体に対して前記データの記録が可能であるか否かを判別し、
前記制御手段は、前記判別手段においての判別結果に応じて前記データの前記記録媒体への記録を制御する請求項５又は請求項６に記載の記録装置。
【請求項１２】
記録媒体に記録されたデータを再生する再生装置であって、
前記記録媒体が、音声／映像データを記録する音声／映像用記録媒体か、汎用データを記録する汎用データ用記録媒体かを判別する媒体判別手段と、
前記媒体判別手段による判別結果及び前記再生装置の種類に基づいて、前記記録媒体に記録される前記データを再生するか否かを制御する制御手段と、
を有することを特徴とする再生装置。
【請求項１３】
前記制御手段は、
前記再生装置が、
前記記録媒体に記録される音声／映像データを再生可能な音声／映像用再生装置であるか、
汎用的な情報処理が可能であると共に、前記記録媒体に記録される音声／映像データを再生可能な音声／映像データ用汎用再生装置であるか、或いは
汎用的な情報処理が可能であると共に、前記記録媒体に記録する汎用データを再生可能な汎用データ用汎用再生装置であるか、
に応じて前記記録媒体に記録される前記データを再生するか否かを制御する請求項１２に記載の再生装置。
【請求項１４】
前記媒体判別手段による判別結果が、前記汎用データ用記録媒体であると共に、
前記再生装置の種類が、音声／映像用再生装置或いは音声／映像データ用汎用再生装置であるとき、
前記制御手段は、前記記録媒体に記録されるデータの再生を禁止する請求項１３に記載の再生装置。
【発明の詳細な説明】
【０００１】
【発明の属する技術分野】
この発明は、例えば、音声信号や映像信号、あるいは、コンピュータデータなどの各種の情報信号を複製（コピー）する場合の方法、装置、記録媒体に記録された情報信号を再生する場合の方法、装置に関する。
【０００２】
【従来の技術】
近年、インターネット、コンパクトディスク（ＣＤ）、デジタルビデオディスク（ＤＶＤ）などのデジタルコンテンツの普及に伴い、このデジタルコンテンツについての違法な複製による著作権侵害が問題となっている。そこで、この問題に対処するため、デジタルコンテンツに複製制御のための情報を付加し、この付加情報を用いて、違法な複製を防止することが考えられている。
【０００３】
この複製の防止のための制御としては、情報ソースに応じて、例えば、全く複製を認めないようにする方式や、１回は複製を認めるが、１回複製されたものからの複製を禁止する方式（世代制限の複製制御方式）などが考えられている。前者は、例えばＤＶＤ−ＲＯＭのように、コンテンツメーカが作成して販売するオリジナルソフトの場合などに適用される。後者の世代制限の複製制御方式は、例えば放送メディアにおいて、放送される情報の場合などに適用される。
【０００４】
後者の世代制限の複製制御方式の場合には、有効に複製世代の制御ができる方式が望まれている。この複製世代の管理が行える複製制御情報の方式としては、音声信号についてのＳＣＭＳ（Ｓｅｒｉａｌ  Ｃｏｐｙ  ＭａｎａｇｅｍｅｎｔＳｙｓｔｅｍ）方式や、映像信号についてのＣＧＭＳ（Ｃｏｐｙ  Ｇｅｎｅｒａｔｉｏｎ  Ｍａｎａｇｅｍｅｎｔ  Ｓｙｓｔｅｍ）方式や、電子透かし技術を用いる方法が提案されている。
【０００５】
ＳＣＭＳ方式は、デジタル音声信号とともに伝送するようにされるコピー禁止／許可フラグや、例えば、ＣＤ（コンパクトディスク）、ＤＡＴ（デジタルオーディオテープ）などのデジタル音声システムの種類を表すカテゴリーコードを用いて、１回だけのデジタルコピーができるようにするシリアルコピーの制御を行う方式である。
【０００６】
すなわち、このＳＣＭＳ方式の場合には、デジタル音声信号とともに伝送するようにされるコピー禁止／許可フラグおよびカテゴリコードからなるＳＣＭＳ情報により、１世代のデジタル音声信号の複製はきるが、コピーされたデジタル音声信号をさらに複製することはできないというように、デジタル音声信号の複製の世代制限制御を行うことができるようにされている。
【０００７】
また、ＣＧＭＳ方式は、例えばアナログ画像信号であれば、その垂直ブランキング期間内の特定の１水平区間に複製制御用の２ビットの付加情報を重畳し、また、デジタル画像信号であれば、デジタル画像データに、複製制御用の２ビットの付加情報を付加して伝送する方式である。
【０００８】
このＣＧＭＳ方式の場合の２ビットの情報（以下、ＣＧＭＳ情報という）の意味内容は、
［００］……複製可能
［１０］……１回複製可能（１世代だけ複製可能）
［１１］……複製禁止（絶対複製禁止）
である。
【０００９】
画像情報に付加されたＣＧＭＳ情報が［１０］であった場合に、ＣＧＭＳ対応の記録装置では、その画像情報の複製記録が可能であると判断して記録を実行するが、記録された画像信号には［１１］に書き換えられたＣＧＭＳ情報が付加される。そして、記録しようとする画像情報に付加されたＣＧＭＳ情報が［１１］の場合には、ＣＧＭＳ対応の記録装置では、その画像信号の複製記録は禁止であるとして記録の実行が禁止される。
【００１０】
また、電子透かし処理は、画像データや音楽データに存在する人間の知覚上の重要でない部分、すなわち、音楽や映像に対して冗長でない部分に、雑音として情報を埋め込む処理である。このような電子透かし処理により画像データや音楽データ中に埋め込まれた付加情報は、その画像データや音楽データから除去されにくい。一方、画像データや音楽データについてフィルタリング処理やデータ圧縮処理をした後であっても、それらに埋め込まれた電子透かしの付加情報を画像データや音楽データ中から検出することが可能である。
【００１１】
この電子透かし処理を用いる複製制御方式の場合、埋め込む付加情報により、
▲１▼「複製可能（Ｃｏｐｙ  Ｆｒｅｅ）」
▲２▼「１回複製可能（１世代だけ複製可能）（Ｃｏｐｙ  Ｏｎｃｅ）」
▲３▼「これ以上の複製禁止（Ｎｏ  Ｍｏｒｅ  Ｃｏｐｙ）」
▲４▼「絶対複製禁止（Ｎｅｖｅｒ  Ｃｏｐｙ）」
の４状態を表し、当該電子透かし情報が重畳された画像データや音楽データの複製世代や複製制限状態を表すようにしている。
【００１２】
▲１▼「複製可能（Ｃｏｐｙ  Ｆｒｅｅ）」は、音楽データや画像データの自由な複製が可能であることを表す。▲２▼「１回複製可能（１世代だけ複製可能）（Ｃｏｐｙ  Ｏｎｃｅ）」は、１回だけ音楽データや画像データの複製が可能であることを示す。▲３▼「これ以上の複製禁止（Ｎｏ  Ｍｏｒｅ  Ｃｏｐｙ）」は、▲２▼の１回複製可能の状態の音楽データや画像データから、当該音楽データや画像データが複製されたものであって、これ以上の複製は禁止であることを示す。▲４▼「絶対複製禁止（Ｎｅｖｅｒ  Ｃｏｐｙ）」は、複製は全く禁止であることを示す。
【００１３】
画像データや音楽データに重畳された電子透かし情報が、「１回複製可能（Ｃｏｐｙ  Ｏｎｃｅ）」であった場合には、電子透かし処理に対応（すなわち、複製制限処理対応）の記録装置では、その画像データや音楽データの複製記録が可能であると判断して記録を実行するが、記録された画像データや音楽データには、「これ以上の複製禁止（Ｎｏ  Ｍｏｒｅ  Ｃｏｐｙ）」に書き換えられた電子透かし情報が重畳される。そして、記録しようとする画像データや音楽データに重畳された電子透かし情報が、「これ以上の複製禁止（Ｎｏ  Ｍｏｒｅ  Ｃｏｐｙ）」の場合には、電子透かし処理対応の記録装置では、その画像データや音楽データの複製記録は禁止であるとして記録の実行が禁止される。
【００１４】
このように、ＳＣＭＳ方式、ＣＧＭＳ方式、電子透かし処理を用いる方式などの複製世代制限方式により、複製世代制限制御が行われ、音声データや画像データなどの情報信号を、家庭において複製して家庭において利用するような私的利用の範囲内においての情報信号の複製はできるようにされる。しかし、複製された情報信号の複製は禁止されるので、複製された情報信号が次々に複製され、情報信号の著作権者の利益や権利を不当に害することがないようにされている。
【００１５】
【発明が解決しようとする課題】
ところで、前述のＳＣＭＳ方式、ＣＧＭＳ方式、電子透かし処理を用いた方式などを用いて、情報信号の複製世代制限制御を行うようにした場合には、複製された情報信号をさらに別の記録媒体に複製するなどということは防止される。すなわち、第１世代の複製から第２世代の複製の作成は禁止される。しかしながら、第１世代の複製は何回でも可能であるという問題がある。すなわち、例えば、ＣＤやＤＶＤなどの記録媒体に記録されてコンテンツメーカーから提供される元の情報信号は、その記録媒体からであれば無制限に複製することができてしまうという問題がある。
【００１６】
また、音声信号や映像信号の再生速度や、記録速度を向上させることにより、目的の音声信号や映像信号を記録媒体に高速に複製することができるが、この場合には、目的とする情報信号を短時間で複製することができるため、同じ情報信号を複製した記録媒体が大量に作成されてしまうという危険性がある。このように大量複製された情報信号が販売されるなどした場合には、情報信号の著作権者が受ける不利益が大きくなってしまう。
【００１７】
特に、各種の情報処理が可能なコンピュータなどの汎用機器の場合には、その特性上、情報信号の複製は容易にかつ高速に行うことができる。また、ネットワークを通じた情報信号の配信、受信も比較的容易に行えるので、同じ情報信号の複製物が多数作られてしまうという危険性が高い。
【００１８】
そこで、情報信号を複製する場合に、前述した複製世代制限制御を行うのではなく、記録装置毎に、複製した情報信号の識別情報を保持し、各記録装置においては、既に記録装置に保持されている識別情報と同じ識別情報の情報信号については、複製しないように制御する複製制限方式、すなわち、記録装置毎であって、情報信号毎に１回の複製しか認めないようにする複製制御方式を用いることが考えられる。
【００１９】
しかし、この複製制限方式のみを用いた場合には、各情報御信号は、記録装置毎において１回の複製しか認められないので、情報信号の複製について、情報信号の利用者は新な制限を受けることになる。例えば、複製世代制限方式が用いられている場合には、ＣＤやＤＶＤなどの元の記録媒体に記録されている情報信号の複製は、何回でも可能であったが、これが１回しか認められなくなる。このため、私的利用の範囲内においての情報信号の複製が制限され、情報信号の利用者の利便性が損なわれてしまう。
【００２０】
以上のことにかんがみ、この発明は、情報信号の利用者の利便性を損なうことなく、情報信号の不正な複製を効果的に防止することができる方法および装置を提供することを目的とする。
【００２１】
【課題を解決するための手段】
上記課題を解決するため、請求項１に記載の発明の記録方法は、
データを記録媒体に記録する記録方法であって、
前記記録媒体が、音声データ又は映像データの一方あるいは音声データと映像データとの両方を記録する音声／映像用記録媒体か、汎用データを記録する汎用データ用記録媒体かを判別する判別ステップと、
前記判別ステップにおける判別結果に応じて、前記データを前記記録媒体に記録する記録制御方式を選定し、選定された前記記録制御方式に基づいて前記データの前記記録媒体への記録を制御する制御ステップと、を有することを特徴とする。
【００２５】
この請求項１に記載の発明の情報信号複製制御方法によれば、音声／映像用記録媒体にコンテンツ情報としての音声信号や映像信号を記録する場合には、例えば、予め決められた方式の複製制御が行うようにされ、汎用データ用記録媒体に、楽曲や画像などの音声信号や映像信号を記録しようとする場合には、複製が禁止されるなどというように、情報信号を記録媒体に記録する際の複製制御方式が選定される。
【００２６】
これにより、音声信号や映像信号などのコンテンツ情報が、汎用データ用記録媒体に記録され、これが汎用データとして扱われて、本来行われるべき複製制御が行われずに不正に複製されることを防止することができるようにされる。また、音声信号や映像信号を音声／映像用記録媒体に記録する場合には、予め決められた方式の複製制御が行われるので、情報信号の利用者は、予め決められた方式の複製制御により複製が認められた場合には、目的とする情報信号を記録媒体に複製して利用することができるようにされ、利便性が害されることもない。
【００５４】
また、請求項２に記載の発明の記録方法は、
データを記録媒体に記録する記録方法であって、
前記データを前記記録媒体に記録する記録装置の本体が、音声／映像データを前記記録媒体に記録可能な音声／映像用記録装置であるか、汎用的な情報処理が可能であると共に音声／映像データを前記記録媒体に記録可能な音声／映像データ用汎用記録装置であるか、汎用的な情報処理が可能であると共に汎用データを前記記録媒体に記録可能な汎用データ用汎用記録装置であるかを判別する判別ステップと、
前記判別ステップにおける判別結果に応じて、前記データを前記記録媒体に記録する記録制御方式を選定し、選定された前記記録制御方式に応じて前記データの前記記録媒体への記録を制御する制御ステップと、を有することを特徴とする。
【００５５】
この請求項２に記載の記録方法によれば、例えば、情報信号を短時間に多数の記録媒体に記録することができるなど、情報信号の複製を簡単かつ短時間に行うことができる装置（音声／映像データ用汎用記録装置）などにおいては、情報信号を複製した記録媒体を大量に作成して販売するなどの違法な複製が行なわれる可能性が高いため、複製制限の厳しい複製制御方式が用いられる。また、例えば、等速記録しかできない装置など私的利用の範囲内の複製しかできない装置（音声／映像用記録装置）の場合には、例えばＳＣＭＳ方式やＣＧＭＳ方式などの複製世代制限制御を用いるようにされる。
【００５６】
これにより、情報信号の不正な複製を防止し、情報信号の著作権者の利益や権利を確実に保護することができるとともに、情報信号の利用者の利便性を害することもない。
【００６０】
【発明の実施の形態】
以下、この発明による方法および装置の一実施の形態について、図を参照しながら説明する。
【００６１】
［情報信号複製制御方法の概要］
まず、この実施の形態で用いられるこの発明による情報信号複製制御方法（記録方法）および情報信号再生制御方法（再生方法）の概要について説明する。この実施の形態の情報信号複製制御方法は、用いる記録媒体は、どのような情報信号を記録するための記録媒体であるか、コピー（複製）を実行する装置は、どのような情報信号を記録するための装置であるか、さらには、等速コピーと高速コピーのどちらが用いられて情報信号のコピーが実行されるかを考慮して、情報信号のコピー時に用いる複製制御方式を選定する。
【００６２】
なお、以下の実施の形態において、コンテンツ情報は、音楽や映画などの観賞用ソフトウエアなどのその中身そのものが評価の中心となり、著作権などを伴う音声信号や映像信号などをいい、情報信号は、コンテンツ情報をも含み、コンピュータデータなどの各種の情報をいうものとする。
【００６３】
そして、記録媒体には、音声信号または映像信号の一方あるいは音声信号と映像信号との両方を記録する音声／映像用記録媒体と、コンピュータデータなどの各種の情報信号（汎用データ）の記録が可能な汎用データ用記録媒体とがある。
【００６４】
また、記録装置には、音声信号や映像信号の専用の装置である音声／映像専用装置と、情報信号の生成、編集などの各種の情報処理が可能なコンピュータなどの汎用機器であって、音声信号や映像信号の供給を受けて、これを記録媒体に記録することができるようにされた、音声／映像用インターフェースを備えた音声／映像用汎用機器と、例えばコンピュータデータなどの汎用データの供給を受けて、これを記録媒体に記録することができるようにされた、汎用インターフェースを備えた汎用データ用汎用機器がある。
【００６５】
また、情報信号を記録媒体に記録する装置においては、例えば、音声信号や映像信号などのように、時間の経過とともに変化する時系列データをコピーする場合に、例えば、使用者からの指示に応じて、あるいは、情報信号を記録する記録媒体の種類に応じて、標準再生速度で再生された情報信号を、標準再生速度と同じ速度で記録するようにするいわゆる等速コピーと、等速コピーより高速にコピーを行う高速コピーとを選択することができるものがある。高速コピーは、再生装置においての情報信号の読み出し処理から、記録装置においての記録処理までの各処理の処理速度を同期をとって高速化することにより可能となる。
【００６６】
このように、記録媒体、記録装置、記録速度は、１種類だけにとどまらず、少なくとも２種類は、存在する。そこで、前述したように、記録媒体、記録装置、記録速度に応じて情報信号のコピー時に用いる複製制御方式を選定するようにする。これにより、利用者が自分だけで楽しむためにコンテンツ情報のコピーを行う、いわゆる私的利用の範囲内のコピーは認めるが、例えば、権原のないものが、利益を得る目的でコンテンツ情報を大量にコピーするような不正なコピーを確実に防止して、コピーの対象となるコンテンツ情報の著作権者の利益や権利を害することがないようにする。
【００６７】
なお、以下に説明する実施の形態においては、例えば、コンパクトディスク（以下、ＣＤと略称する。）などの記録媒体に記録されて利用者に提供されるコンテンツ情報としての楽曲（音声信号）が再生されて記録装置に供給され、これを記録媒体にコピーする場合を例にして説明する。
【００６８】
この場合、記録媒体に記録されて提供される各楽曲には、前述したＳＣＭＳ方式の世代制限制御が可能なように、ＳＣＭＳ情報が付加されているとともに、ＩＳＲＣ（Ｉｎｔｅｒｎａｔｉｏｎａｌ  Ｓｔａｎｄａｒｄ  ＲｅｃｏｒｄｉｎｇＣｏｄｅ）のような、各楽曲を識別するためのコンテンツＩＤが識別情報として付加されているものである。
【００６９】
そして、この実施の形態においては、選定される複製制御方式として、前述したＳＣＭＳ方式と、ＳＣＭＳ方式よりも複製制限のより厳しい方式であって、この明細書においては、ユニコピーシステム（以下、ＵＣＳと略称する。）方式と呼ぶ方式が用いられる。
【００７０】
ＵＣＳ方式は、記録媒体にコピーした楽曲のコンテンツＩＤを記録装置のメモリに保持し、このメモリに保持されているコンテンツＩＤと同じコンテンツＩＤの楽曲のコピーを禁止して、同じ記録装置においては、各楽曲について、１回限りのコピーしか認めないようにするものである。
【００７１】
また、この実施の形態において、ＳＣＭＳ方式でも、ＵＣＳ方式でも、情報信号の適切な複製制御ができないとされる場合には、楽曲のコピーを禁止するようにしている。すなわち、コンテンツ情報を初めからコピー禁止にすることも、複製制御方式の１つである。
【００７２】
図８は、この実施の形態の情報信号複製制御方法を説明するための図であり、コピーに用いる記録媒体、記録装置および記録速度（等速コピーか、高速コピーか）と、これらの情報に応じて決まる複製制御方式とを対応付けて示したものである。
【００７３】
まず、音声／映像専用装置を用いる場合であるが、図８に示すように、音声／映像専用装置を用いて、音声／映像用記録媒体に、コンテンツ情報としての楽曲を等速コピーする場合には、楽曲に付加されているＳＣＭＳ情報を用いて、ＳＣＭＳ方式の複製世代制限制御を行う。この記録媒体、記録装置、記録速度の組み合わせ（態様）は、家庭などにおいて行なわれる一般的なコピー時と同じであり、等速コピーでコンテンツ情報をコピーするので、短時間に大量の複製物が作成されることもない。このため、ＳＣＭＳ方式の複製世代制限方式を用いて、複製制御を行うようにする。
【００７４】
また、音声／映像専用装置を用いて、音声／映像用記録媒体に、コンテンツ情報を高速コピーする場合には、ＵＣＳ方式の複製制御を行う。この場合は、高速コピーであって、短時間に大量の複製物が作成される可能性があるので、ＳＣＭＳ方式よりも複製制限が厳しいＵＣＳ方式により複製制御を行う。
【００７５】
また、音声／映像専用装置を用いて、汎用データ用記録媒体に、コンテンツ情報をコピーしようとした場合には、コンテンツ情報のコピーを禁止する。つまり、汎用データ用記録媒体に、音声信号や映像信号などのコンテンツ情報をコピーした場合、コピーしたコンテンツ情報を汎用データとして汎用機器により何の制限も受けることなくコピーが自由にされる可能性があるので、コピーすること自体を禁止し、コピー不可とする。
【００７６】
次に、音声／映像用インターフェースを備えた音声／映像用汎用機器を用いる場合であるが、図８に示すように、音声／映像用インターフェースを備えた音声／映像用汎用機器を用いて、音声／映像用記録媒体に、コンテンツ情報を等速コピーする場合には、ＳＣＭＳ方式の複製世代制限制御よりも複製制限の厳しいＵＣＳ方式の複製制御を行う。
【００７７】
このように、等速コピーであっても、ＵＣＳ方式の複製制御を行うのは、例えば、コンピュータなどの汎用機器の場合、その特性上簡単かつ迅速にコピーが可能であり、またコンテンツ情報を、例えば、インターネットなどのネットワークを通じて、多数の他の汎用機器などに配信したり、配信されてきたコンテンツ情報受信してコピーすることもでき、不正なコピーが行なわれる可能性が高いためである。
【００７８】
また、音声／映像用汎用機器を用いて、音声／映像用記録媒体に、コンテンツ情報を高速コピーする場合には、ＵＣＳ方式の複製制御を行う。この場合も、前述したように、短時間に多数の複製物が作成される可能性が高いため、ＳＣＭＳ方式よりも複製制限の厳しいＵＣＳ方式で複製制御をおこなう。
【００７９】
また、音声／映像用汎用機器を用いて、汎用データ用記録媒体に、コンテンツ情報をコピーしようとした場合には、コンテンツ情報のコピーを禁止する。この場合には、前述もしたように、汎用データ用記録媒体に、音声信号や映像信号などのコンテンツ情報をコピーした場合、何の制限を受けることなくコンテンツ情報のコピーが自由にされる可能性があるためである。
【００８０】
次に、汎用インターフェースを備えた汎用データ用汎用機器を用いる場合であるが、図８に示すように、汎用インターフェースを備えた汎用データ用汎用機器を用いて、音声／映像用記録媒体に情報をコピーしようとする場合には、等速コピーであっても、高速コピーであっても、情報信号のコピーを禁止する。つまり、汎用データ用汎用機器は、例えば、コピーが禁止された音声信号や映像信号などのコンテンツ情報を、複製制限することなく音声／映像用記録媒体にコピーすることができるためである。
【００８１】
なお、図８に示すように、汎用データ用汎用機器を用いて、汎用データ用記録媒体に情報信号を記録する場合には、複製制限制御が行なわれる保証はない。汎用データ用汎用機器は、汎用データを扱う機器のため、音声信号などのコンテンツ情報のように、ＳＣＭＳ方式の複製世代制限制御やＵＣＳ方式の複製制限制御を行わない場合があるためである。
【００８２】
しかし、後述もするように、音声／映像専用装置や音声／映像用汎用機器においては、汎用データ用記録媒体に記録された情報信号を再生しないようにすることによって、汎用データ用汎用機器により、汎用データ用記録媒体に記録された音声信号や映像信号などのコンテンツ情報を再生できないようにする。つまり、音声信号や映像信号を汎用データ用記録媒体に記録しても再生できないので、音声信号や映像信号の不正なコピーを防止することができるようにされる。
【００８３】
このように、短時間に大量のコピーが行なわれる可能性がある場合など、不正なコピーが行なわれる危険性が高い場合には、複製制御がより厳しいＵＣＳ方式の複製制御を行い、音声信号や映像信号などのコンテンツ情報が、複製制限されることなくコピーが可能である場合や、コピーされたコンテンツ情報のコピーが可能となってしまう場合には、コピーを禁止することにより、コンテンツ情報の著作権者の利益や権利を害することがないようにしている。
【００８４】
その一方、音声／映像専用装置や音声／映像用汎用機器の場合であって、記録媒体が、音声／映像用記録媒体である場合、コピーしようとするコンテンツ情報が、コピーが禁止されたものでない場合には、少なくとも１回は、コピーできるようにされるので、コンテンツ情報の利用者の私的利用の範囲内のコピーは認められ、利用者の利便性を損なうことがないようにすることができる。
【００８５】
［音声／映像専用機器について］
次に、前述したこの実施の形態の情報信号複製制御方法、情報信号再生制御方法を用いる情報信号記録装置としての音声／映像専用装置について説明する。
【００８６】
図１は、この実施の形態の音声／映像専用装置を説明するためのブロック図である。この実施の形態の音声／映像専用装置は、記録媒体にコンテンツ情報としての楽曲などを記録する記録機能と、記録媒体に記録されたコンテンツ情報としての楽曲を再生する再生機能とを備えた記録再生装置として構成されたものである。
【００８７】
図１に示すように、この実施の形態の音声／映像専用装置は、メディアインターフェース（図１においては、メディアＩ／Ｆと記載。）１、認証処理部２、媒体判別部３、入力端子４、入力インターフェース（図１においては、入力Ｉ／Ｆと記載。）５、データ圧縮処理部６、暗号化部７、書き込み制御部８、書き込み部９、切り換え部１０、ＳＣＭＳ情報検出部１１、コンテンツＩＤ検出部１２、切り換え部１３、暗号解読部１４、データ伸長処理部１５、出力インターフェース（図１においては、出力Ｉ／Ｆと記載。）１６、出力端子１７、コントロール部２０、キー操作部２１、コピー履歴情報管理メモリ２２を備えている。
【００８８】
また、この実施の形態の音声／映像専用装置において、記録媒体１００は、ＭＤ（ミニディスク）と呼ばれる小型の光磁気ディスクや、半導体メモリをデータ記憶領域として用いた記録媒体を用いることができるようにされている。この場合、光磁気ディスクにデータを書き込む場合よりも、半導体メモリにデータを書き込む場合の方がより高速に処理することができる。
【００８９】
このため、この実施の形態の音声／映像専用装置においては、後述もするように、半導体メモリをデータ記憶領域として用いた記憶媒体へは、高速コピーが可能とされ、ＭＤを記憶媒体として用いた記録媒体へは、等速コピーのみが可能となるようにされる。
【００９０】
また、前述したように、記録媒体１００には、音声／映像用記録媒体と、汎用データ用記録媒体とがある。このため、まず、この実施の形態で用いられる音声／映像用記録媒体１００Ａと汎用記録媒体１００Ｂについて説明する。
【００９１】
図２は、音声／映像用記録媒体１００Ａを説明するための図であり、図３は、汎用データ用記録媒体（以下、汎用記録媒体という。）１００Ｂを説明するための図である。
【００９２】
図２に示すように、この実施の形態の音声／映像用記録媒体１００Ａは、ディスクや半導体メモリによって構成されたデータ記憶領域１０１と、スイッチ回路１０２と、認証処理部１０３とを備えている。認証処理部１０３は、この音声／映像用記録媒体１００Ａが装填された相手機器との間で通信を行い、相手機器との間で認証を取るようにする。
【００９３】
すなわち、認証処理部１０３は、相手機器がデータ記憶領域１０１にアクセス可能な機器であるか否かを判別し、アクセス可能な機器であると判別したときには、その相手機器を認証する。そして、認証処理部１０３は、相手機器を認証したときには、スイッチ回路１０２をオンにして、データ記憶領域１０１へのアクセスを可能にする。また、相手先機器との間で認証がとれなかったときには、スイッチ回路１０２をオンにしないので、相手機器は、データ記憶領域１０１にはアクセスできないようにされる。
【００９４】
このように、音声／映像用記録媒体１００Ａは、認証処理部１０３を備えることによって、認証された装置でなければ、データ記憶領域１０１にデータを書き込んだり、データ記憶領域１０１からデータを読み出すことができないようにしている。
【００９５】
また、図３に示すように、この実施の形態の汎用記録媒体１００Ｂは、音声／映像用記録媒体１００Ａとは異なり、スイッチ回路１０２や認証処理部１０３を有しない。したがって、認証処理を経ることなく各種の装置を通じて、各種の汎用データを記憶領域１０１に記録したり、データ領域１０１に記憶されているデータを読み出すことができるものである。
【００９６】
このように、この実施の形態においては、記録媒体１００として、図２に示した音声／映像用記録媒体１００Ａと、図３に示した汎用記録媒体１００Ｂとがある。
【００９７】
そして、音声／映像専用装置は、装填された記録媒体が、音声／映像用記録媒体１００Ａか汎用記録媒体１００Ｂか判別することができるようにするため、こ図１に示したように認証処理部２を備えている。
【００９８】
また、記録媒体が、高速コピーが可能な半導体メモリをデータ記憶領域１０１として用いた記録媒体か、等速コピーのみが可能な光磁気ディスクをデータ記憶領域１０１として用いた記録媒体かを判別するため、媒体判別部３を備えている。
【００９９】
すなわち、図１に示したこの実施の形態の音声／映像専用装置に記録媒体が装填されると、まず、コントロール部２０は、メディアインターフェース１、認証処理部２を制御し、装填された記録媒体との間で認証を取るようにするとともに、認証が取れた場合には、メディアインターフェース１、媒体判別部３を制御し、装填された記録媒体が、高速コピーが可能な記録媒体か否かを判別する。
【０１００】
すなわち、認証処理部２は、メディアインターフェース１を通じて、記録媒体の認証処理部１０３との間で相互に通信を行うようにして、相手を確認（認証）する処理を行う。この場合、この音声／映像専用装置に装填された記録媒体が、認証処理部１０３を有しない汎用記録媒体１００Ｂである場合には、この実施の形態の音声／映像専用装置との間においては認証は成立しないので、音声／映像専用装置の認証処理部２は、認証は成立しなかったことをコントロール部２０に通知する。このように認証が成立しなかった場合、コントロール部２０は、装填された記録媒体は、認証処理部１０３を有しない汎用記録媒体１００Ｂであると判別することができる。
【０１０１】
そして、装填された記録媒体が、汎用記録媒体１００Ｂである場合には、コントロール部２０は、書き込み制御部８を制御して、当該記録媒体へのデータ書き込みを禁止する。このように、この実施の形態の音声／映像専用装置は、コンテンツ情報としての楽曲を汎用記録媒体１００Ｂへはコピーできないようにしている。
【０１０２】
また、装填された記録媒体が、汎用記録媒体１００Ｂである場合には、コントロール部２０は、読み出し制御部１９を制御して、この音声／映像専用装置に装填された汎用記録媒体１００Ｂに記録されているデータの読み出しをも禁止する。これにより、この実施の形態の音声／映像専用装置によっては、汎用記録媒体１００Ｂに記録されているデータの再生もできないようにしている。
【０１０３】
そして、相手先の記録媒体が認証処理部１０３を備えた音声／映像用記録媒体１００Ａである場合には、この音声／映像専用装置と、相手先の音声／映像用記録媒体１００Ａとの間で認証が成立するので、認証処理部２は、認証が成立したことをコントロール部２０に通知する。このように認証が成立した場合、コントロール部２０は、装填された記録媒体は、認証処理部１０３を備えた音声／映像用記録媒体１００Ａであると判別することができる。
【０１０４】
また、認証が成立した場合には、前述したように、音声／映像用記録媒体１００Ａの認証処理部１０３は、スイッチ回路１０２をオンにして、音声／映像専用装置がデータ記憶領域１０１にアクセスすることを許可するようにする。
【０１０５】
この場合に、媒体判別部３は、メディアインターフェース１を通じて、例えば、装填された記録媒体に記録されているメディアの種類を示す情報を得て、その記録媒体が、データ記憶領域１０１として光磁気ディスクを用いた記録媒体か、半導体メモリを用いた記録媒体かを判別し、判別結果をコントロール部２０に通知する。
【０１０６】
この実施の形態の音声／映像専用装置においては、前述したように、光磁気ディスクをデータ記憶領域１０１として用いた記録媒体の場合には、等速コピーのみが可能とされ、半導体メモリがデータ記憶領域１０１として用いた記録媒体の場合には、高速コピーが可能となるようにされている。
【０１０７】
このため、コントロール部２０は、媒体判別部３からの判別結果が、装填された記録媒体が、光磁気ディスクをデータ記憶領域１０１として用いた記録媒体であることを示すものであるときには、ＳＣＭＳ方式の複製制御を行うため、スイッチ回路１０をＳＣＭＳ情報検出部１１側に切り換える制御信号を形成し、これをスイッチ回路１０に供給する。
【０１０８】
また、媒体判別部３からの判別結果が、装填された記録媒体が、半導体メモリをデータ記憶領域１０１として用いた記録媒体であることを示すものであるときには、ＵＣＳ方式の複製制御を行うため、スイッチ回路１０をコンテンツＩＤ検出部１２側に切り換える制御信号を形成し、これをスイッチ回路１０に供給する。
【０１０９】
これにより、図８を用いて前述したように、この音声／映像専用装置において、音声／映像用記録媒体１００Ａに等速コピーでコンテンツ情報としての楽曲をコピーする場合には、ＳＣＭＳ情報検出部１１により検出するＳＣＭＳ情報を用いて、ＳＣＭＳ方式の複製制御を行う。また、この音声／映像専用装置において、データ記憶領域１０１として半導体メモリが用いられ高速コピーが可能な音声／映像用記録媒体に高速コピーでコンテンツ情報としての楽曲をコピーする場合には、コンテンツＩＤ検出部１２により検出するコンテンツＩＤを用いて、ＵＣＳ方式の複製制御を行う。
【０１１０】
なお、この実施の形態の音声／映像用装置においては、音声信号の再生装置であるＣＤの再生装置から音声信号とともに、入力端子４、入力インターフェース５を通じて、再生処理時のクロック信号の供給をも受けて、入力インターフェース５からの情報に基づいて、等速コピーか高速コピーかをコントロール部２０が検知することができる用にされている。そして、高速コピーの場合には、コントロール２０は、記録系の各部を制御し、高速コピーを実行するようにする。
【０１１１】
そして、前述したように、ＣＤの再生装置により再生され、図１に示すこの実施の形態の音声／映像専用装置の入力端子４を通じて入力された楽曲（音声信号）は、入力インターフェース５を通じてデータ圧縮部６とスイッチ回路１０に供給される。
【０１１２】
データ圧縮処理部６は、供給された音声信号を所定の方式でデータ圧縮し、これを暗号化部７に供給する。暗号化部７は、データ圧縮後の音声信号に対して、予め決められた暗号化方式により暗号化を行って、これを書き込み制御部８と、スイッチ回路１３の入力端ａ側に供給される。
【０１１３】
一方、スイッチ回路１０は、前述したように、記録媒体１００が、データ記憶領域１０１として光磁気ディスクが用いられた音声／映像用記録媒体１００Ａの場合には、ＳＣＭＳ情報検出部１１側に切り換えられ、データ記憶領域１０１として半導体メモリが用いられた音声／映像用記録媒体１００Ａに高速コピーを行う場合には、コンテンツＩＤ検出部１２側に切り換えられている。
【０１１４】
このため、スイッチ回路１０が、ＳＣＭＳ情報検出部１１側に切り換えられているときには、入力インターフェース５からの音声信号は、スイッチ回路１０を通じてＳＣＭＳ情報検出部１１に供給される。ＳＣＭＳ情報検出部１１では、供給された音声信号から、これに付加されているＳＣＭＳ情報を検出し、検出したＳＣＭＳ情報をコントロール部２０に供給する。
【０１１５】
この場合、コントロール部２０は、供給されたＳＣＭＳ情報を解析し、供給された音声信号の複製制御の状態を判別する。すなわち、コントロール部２０は、供給された音声信号は、コピーが禁止されたものか、１世代のコピーが許可されたものか、コピーが自由に認められたものかを判別する。また、供給された音声信号からＳＣＭＳ情報が検出できなかった場合には、この実施の形態においては、その楽曲は、自由にコピーすることができるものと判別する。
【０１１６】
そして、コントロール部２０は、ＳＣＭＳ情報の解析結果から判別したコピーしようとしている音声信号の複製制御の状態に基づいて、書き込み制御部８を制御する制御信号を形成し、これを書き込み制御部８に供給する。
【０１１７】
つまり、コントロール部２０は、コピーしようとしている音声信号の複製制御の状態が、コピー禁止であるときには、コピーを禁止するようにする制御信号を形成し、これを書き込み制御部８に供給する。また、コピーしようとしている音声信号の複製制御の状態が、コピー自由であるときには、コピーを許可する制御信号を形成し、これを書き込み制御部８に供給する。
【０１１８】
また、コピーしようとしている音声信号の複製制御の状態が、１世代のコピーが許可されたものであるときには、コピーを許可するとともに、付加されているＳＣＭＳ情報をコピー禁止を示す情報に変更する制御信号を形成し、これを書き込み制御部８に供給する。
【０１１９】
書き込み制御部８は、コントロール部２０からの制御信号に基づいて、コピーが許可された音声信号だけを書き込み部９に供給するようにする。この場合、１世代のコピーが可能とされた音声信号の場合には、この実施の形態においては、書き込み制御部８において、ＳＣＭＳ情報がコピー禁止を示す情報に変更された後に書き込み部９に供給するようにされる。
【０１２０】
そして、書き込み部９は、記録する音声信号の記録レベルを調整するなどの必要な処理を行って、メディアインターフェース１を通じて、音声信号を記録媒体１００に記録する。この記録時においては、メディアインターフェース１は、コントロール部２０からの制御により、音声信号を記録媒体１００に記録するように制御される。
【０１２１】
また、前述もしたように、記録媒体１００が、データ記憶領域として半導体メモリが用いられた音声／映像用記録媒体１００に音声信号を高速コピーするようにした場合には、ＵＣＳ方式の複製制御を行うようにするため、スイッチ回路１０は、コンテンツＩＤ検出部１２側に切り換えられている。この場合には、入力インターフェース５からの音声信号は、スイッチ回路１０を通じて、コンテンツＩＤ検出部１２に供給される。
【０１２２】
コンテンツＩＤ検出部１２は、供給された音声信号に付加されている、当該音声信号を識別するためのコンテンツＩＤを検出し、これをコントロール部２２に供給する。コントロール部２０に接続されたコピー履歴情報管理メモリ２２には、この実施の形態の音声／映像専用装置によりコピーされた音声信号のコンテンツＩＤが記憶するようにされている。
【０１２３】
そして、コントロール部２０は、コンテンツＩＤ検出部１２からのコンテンツＩＤに基づいて、コピー履歴情報管理メモリ２２に同じコンテンツＩＤが記憶されいるかを検索する。
【０１２４】
コンテンツＩＤ検出部１２からのコンテンツＩＤと同じコンテンツＩＤが既にコピー履歴情報管理メモリ２２に記憶されている場合には、コピーしようとしている音声信号は、この音声／映像専用装置により既に記録媒体にコピーされたことがあるものであると判別することができる。この場合には、同じ音声信号の再度のコピーは認められないため、コントロール部２０は、コピーを禁止する制御信号を形成し、これを書き込み制御部８に供給する。
【０１２５】
また、コンテンツＩＤ検出部１２からのコンテンツＩＤと同じコンテンツＩＤが、コピー履歴情報管理メモリ２２に記憶されていない場合には、コピーしようとしている音声信号は、この音声／映像専用装置においては、まだ１度もコピーされたことのないものであると判断することができる。この場合には、コピーを許可する制御信号を形成し、これを書き込み部８に供給するとともに、コンテンツＩＤ検出部１２からのコンテンツＩＤをコピー履歴情報管理メモリ２２に追加記録する。
【０１２６】
そして、１回限りのコピーが許可された音声信号の場合には、前述もしたように、書き込み部９、メディアインターフェース１を通じて記録媒体１００にコピーされ、既にコピーされたものであり、コピーが禁止された音声信号の場合には、書き込み制御部８は、当該音声信号を書き込み部９には供給しないので、コピー不可とすることができる。
【０１２７】
そして、上述のようにして、音声信号を記録媒体１００Ａに記録する場合には、スイッチ回路１３は、コントロール部２０の制御により入力端ａ側に切り換えられる。これにより、暗号化部７からの音声信号が、スイッチ回路１３を通じて暗号解読部１４に供給され、ここで、暗号解読された後に、データ伸長処理部１５に供給される。
【０１２８】
データ伸長処理部１５は、データ圧縮されている音声信号を伸長して、データ圧縮前の音声信号を復元する。この復元された音声信号は、出力インターフェース１６、出力端子１７を通じて出力される。この出力された音声信号は、例えば、スピーカやヘッドホンなどに供給され、音声／映像用記録媒体１００Ａに記録するようにされる音声信号をユーザがモニタすることができるようにされる。
【０１２９】
このように、この実施の形態の音声／映像専用装置は、音声信号をコピーしようとしている記録媒体が、データ記憶領域として光磁気ディスクが用いられた音声／映像用記録媒体の場合には、ＳＣＭＳ方式で複製制御を行い、データ記憶領域として半導体メモリが用いられた音声／映像用記録媒体に高速コピーする場合には、ＵＣＳ方式で複製制御を行うことができるようにされる。
【０１３０】
次に、この実施の形態の音声／映像専用装置により、装填された記録媒体に記録されている音声信号を再生する場合であるが、この再生時においても、前述もしたように、再生しようとする音声信号が記録された記録媒体に応じて再生制御を行うようにしている。
【０１３１】
すなわち、この実施の形態の音声／映像専用装置は、認証処理部２を通じて認証を取ることができない記録媒体が装填されたときには、前述もしたように、この音声／映像専用装置は、再生しようとする音声信号が記録されている記録媒体は、汎用記録媒体１００Ｂであると判断する。
【０１３２】
この場合には、コントロール部２０は、認証処理部２からの判断結果に基づいて、読み出し制御部１９を制御し、メディアインターフェース１、読み出し部１８を通じて記録媒体１００から読み出さした音声信号を読み出し制御部１９からは、出力しないようにして、再生を禁止するようにする。
【０１３３】
前述にもしたように、汎用データ用汎用機器により汎用記録媒体にデータをコピーする場合には、何の制限もなくコピーができてしまう可能性がある。しかし、汎用記録媒体に記録されたデータの再生は、音声／映像専用装置を用いてはできないようにされるので、汎用データ用汎用機器により汎用記録媒体に音声信号や映像信号などのコンテンツ情報をコピーしても意味がなく、ＳＣＭＳ情報などによりコピーが禁止されたコンテンツ情報の不正なコピーを防止することができる。
【０１３４】
また、この実施の形態の音声／映像専用装置において、装填された記録媒体との間で、認証が取れた場合には、認証処理部２からの通知により、コントロール部２０は、装填された記録媒体は、音声／映像用記録媒体１００Ａであると判別することができる。
【０１３５】
この場合には、コントロール部２０は、メディアインターフェース１、読み出し部１９を制御して、メディアインターフェース１、読み出し部１８を通じて記録媒体から読み出した音声信号をスイッチ回路１３の入力端ｂに供給する。この場合、コントロール部２０は、スイッチ回路１３を入力端ｂ側に切り換える。
【０１３６】
これにより、記録媒体１００から読み出された音声信号が、暗号解読部１４、データ伸長処理部１５、出力インターフェース１６、出力端子１７を通じて、スピーカやヘッドホンに供給され、記録媒体１００から読み出されて再生された音声を聴取することができるようにされる。
【０１３７】
なお、認証が取れた場合であって、記録媒体からコンテンツ情報を再生する場合には、暗号解読キーが、記録媒体の認証処理部１０３から音声／映像専用装置の認証処理部２を通じてコントロール部２０に供給され、これが暗号解読部１４に供給される。これにより、記録媒体から読み出されたコンテンツ情報に施されている暗号化が、暗号解読部１４において解読することができるようにされる。
［音声／映像専用装置においての記録時の処理について］
次に、図１を用いて前述した、この実施の形態の音声／映像専用装置においての記録時の処理について、図４のフローチャートを参照しながら説明する。図４は、この実施の形態の音声／映像専用装置により、コンテンツ情報としての音声信号（楽曲）を記録媒体に記録する場合の処理を説明するためのフローチャートである。
【０１３８】
この実施の形態の音声／映像専用装置に記録媒体を装填すると、コントロール部２０は、メディアインターフェース１、認証処理部２を通じて、記録媒体との間で認証を取るようにする（ステップＳ１０１）。
【０１３９】
そして、認証が取れたか否かを判断し（ステップＳ１０２）、認証が取れなかった場合には、図４に示す処理を終了する。すなわち、装填された記録媒体が、認証処理部１０３を有しない汎用記録媒体１００Ｂである場合には、認証されないので、装填された汎用記録媒体１００Ｂへの音声信号のコピー、および、装填された汎用記録媒体１００Ｂに記録されているデータの再生は、この音声／映像専用装置によってはできないようにされる。
【０１４０】
ステップＳ１０２の判断処理において、認証が取れたと判断したときには、この実施の形態の音声／映像専用装置に装填された記録媒体は、認証処理部１０３を備えた音声／映像用記録媒体１００Ａであり、音声信号のコピーは可能である。この場合には、コントロール部２０は、メディアインターフェース１、媒体判別部３を通じて、装填された記録媒体が、高速コピーが可能な記録媒体か否かを判別する（ステップＳ１０３）。
【０１４１】
すなわち、このステップＳ１０３の処理は、装填された記録媒体が、データ記憶領域１０１に半導体メモリを用いた高速コピー可能な音声／映像用記録媒体１００Ａか、データ記憶領域１０１に光磁気ディスクを用いた等速コピーのみが可能な音声／映像用記録媒体１００Ａかを判別する処理である。
【０１４２】
そして、コントロール部２０は、媒体判別部３からの判別結果に基づいて、この音声／映像専用装置に装填された音声／映像記録媒体１００Ａが、高速コピー可能な記録媒体か否かを判断する（ステップＳ１０４）。
【０１４３】
ステップＳ１０４の判断処理において、高速コピー可能な記録媒体であると判断し、高速コピーにより音声信号がコピーされる場合には、前述したように、ＵＣＳ方式の複製制御を行うようにする。すなわち、装填された記録媒体が、音声／映像用記録媒体で、かつ、高速コピーが可能な記録媒体であり、音声信号の再生装置から供給される再生クロック信号が高速コピーに対応するものであるときには、図１を用いて前述したように、スイッチ回路１０は、コンテンツＩＤ検出部１２側に切り換えられるので、コンテンツＩＤ検出部１２により、コピーしようとしている音声信号のコンテンツＩＤが検出され、コントロール部２０に供される（ステップＳ１０５）。
【０１４４】
コントロール部２０は、コンテンツＩＤ検出部１２からのコンテンツＩＤと、コピー履歴情報管理メモリ２２に記憶されているコンテンツＩＤとを比較するようにして、コピーしようとしている音声信号のコンテンツＩＤと同じコンテンツＩＤを検索する（ステップＳ１０６）。
【０１４５】
そして、コントロール部２０は、コピーしようとしている音声信号のコンテンツＩＤと同じコンテンツＩＤが、コピー履歴情報管理メモリ２２に存在するか否かを判断する（ステップＳ１０７）。ステップＳ１０７の判断処理において、同じコンテンツＩＤがあると判断したときには、そのコンテンツＩＤの音声信号は、この音声／映像専用装置により、既にコピーされたものであるので、コントロール部２０は、書き込み制御部８を制御して、目的とする楽曲のコピーをできないようにし、この図４に示す処理を終了する。
【０１４６】
また、ステップＳ１０７の判断処理において、同じコンテンツＩＤが、コピー履歴情報管理メモリ２２に無いと判断したときには、コントロール部２０は、書き込み制御部８、書き込み部９、メディアインターフェース１を制御して、目的とする音声信号の音声／映像用記録媒体１００Ａへの高速コピーを実行し（ステップＳ１０８）、コピーした楽曲のコンテンツＩＤをコピー履歴情報としてコピー履歴情報管理メモリ２２に記録して、コピー履歴情報管理メモリ２２の情報を更新する（ステップＳ１０９）。
【０１４７】
また、ステップＳ１０４の判断処理において、この音声／映像専用装置に装填された記録媒体が、高速コピー可能な記録媒体でないと判断したときには、前述したように、ＳＣＭＳ方式の複製制御（複製世代制限制御）を行うようにする。すなわち、装填された記録媒体が、音声／映像用記録媒体であり、等速コピーのみが可能な記録媒体であるときには、図１を用いて前述したように、スイッチ回路１０は、ＳＣＭＳ情報検出部１１側に切り換えられるので、ＳＣＭＳ情報検出部１１により、コピーしようとしている音声信号（楽曲）に付加されているＳＣＭＳ情報が検出され、コントロール部２０に供される（ステップＳ１１０）。
【０１４８】
そして、コントロール部２０は、供給されたＳＣＭＳ情報を解析する（ステップＳ１１１）。そして、ＳＣＭＳ情報の解析結果に基づいて、目的とする楽曲は、コピーが許可されたコピーが可能な楽曲が否かを判断する（ステップＳ１１２）。
【０１４９】
ステップＳ１１２の判断処理において、目的とする楽曲がコピーが禁止されたものであり、コピーが可能なものでないときには、コントロール部２０は、書き込み制御部８を制御して、目的とする楽曲のコピーをできないようにし、この図４に示す処理を終了する。
【０１５０】
また、ステップＳ１１２の判断処理において、目的とする楽曲に付加されているＳＣＭＳ情報が、１世代の複製可能であることを示している場合など、目的とする楽曲がコピー可能であると判断したときには、コントロール部２０は、書き込み制御部８、書き込み部９、メディアインターフェース１を制御して、目的とする楽曲の記録媒体への等速コピーを実行する（ステップＳ１１３）。
【０１５１】
なお、ステップＳ１１３において、等速コピーが実行される場合であって、コピーする楽曲が、１世代の複製が可能なものである場合には、前述もしたように、コピーする情報信号には、コピー不可であることを示すＳＣＭＳ情報を付加して、記録媒体にコピーするようにされる。
【０１５２】
このように、この実施の形態の音声／映像専用装置は、コンテンツ情報としての音声信号（楽曲）をコピーしようとする記録媒体が、どのような情報信号を記録するための記録媒体かを判別し、その記録媒体が、コンテンツ情報としての音声信号の記録が可能な音声／映像用記録媒体である場合に、音声信号のコピーができるようにされ、汎用記録媒体の場合には、コピーはできないようにされる。
【０１５３】
そして、等速コピーのみが認められた音声／映像用記録媒体に音声信号を等速コピーする場合には、ＳＣＭＳ方式の複製制御を行い、高速コピーが可能とされた音声／映像用記録媒体に音声信号を高速コピーする場合には、ＳＣＭＳ方式よりも複製制限の厳しいＵＣＳ方式の複製制御を行う。
【０１５４】
これにより、記録された情報信号のコピーが複製制限がされることなく可能となってしまう可能性の高い汎用記録媒体へのコンテンツ情報のコピーはできないようにされるとともに、短時間に音声信号のコピーを多数回行って、音声信号をコピーした多数の記録媒体の作成が可能な高速コピーを行う場合には、ＵＣＳ方式の複製制御が行われるので、多数の複製物の作成が防止され、楽曲の著作権者の利益を害するようなコンテンツ情報の不正なコピーを防止することができる。
【０１５５】
また、楽曲を音声／映像用記録媒体に等速コピーする場合には、従来のＳＣＭＳ方式により複製制限が行われ、楽曲を音声／映像用記録媒体に高速コピーする場合には、ＵＣＳ方式により複製制限が行われようにされる。すなわち、この実施の形態の音声／映像専用装置においては、コピーが許可された音声信号である場合には、私的利用の範囲内のコピーは認められるので、ユーザの利便性を害することもない。
【０１５６】
なお、この実施の形態の音声／映像専用装置においては、記録媒体に記録されている情報に基づいて、媒体判別部３が、高速コピーが可能な記録媒体か否かを判別するようにした。しかし、これに限るものではなく、高速コピーが可能な記録媒体と、そうでない記録媒体とを記録媒体が収納されるケースの形状などの違いにより、機械的に判別するようにしてもよい。
【０１５７】
また、この実施の形態の音声／映像専用装置においては、装填される記録媒体と、この実施の形態の音声／映像専用装置に音声信号を供給する再生装置からのクロック信号とに基づいて、等速コピーを行うか、高速コピーを行うかを決めるようにしたが、これに限るものではない。
【０１５８】
装填された記録媒体が高速コピーが可能な記録媒体か否かのみに応じて、等速コピーを行うか、高速コピーを行うかを決めるようにしてもよいし、また、音声信号の再生装置からのクロック信号に基づいて、等速コピーか高速コピーかを判別するようにしてもよい。
【０１５９】
また、この音声／映像専用装置に対するユーザからの指示入力に応じて、等速コピーか、高速コピーかを切り換えるようにすることもできる。つまり、コントロール部２０に接続されたキー操作部２１を通じて、ユーザが、等速コピーか、高速コピーかを切り換えるようにする。
【０１６０】
この場合には、高速コピーが可能な記録媒体か否かを判別したり、音声信号の再生装置からのクロック信号に基づいて、高速コピーか否かを判別するのではなく、ユーザにより等速コピーと、高速コピーのどちらが選択されたかを判別するようにする。
【０１６１】
そして、この実施の形態の音声／映像専用装置により音声／映像用記録媒体にコンテンツ情報をコピーする場合であって、ユーザのより等速コピーが選択されているときには、音声信号の記録時においては、ＳＣＭＳ方式の複製制御を行い、高速コピーが選択されているときには、ＳＣＭＳ方式よりも複製制限のより厳しいＵＣＳ方式により複製制御を行うようにする。
【０１６２】
このようにすることによって、ユーザにより記録速度が選択される場合であっても、適切な複製制御方式で複製制御を行うことができる。
【０１６３】
また、この実施の形態の音声／映像専用装置によっては、前述したように、汎用記録媒体１００Ｂに記録された情報信号は再生できないようにされる。これにより、例えば、後述する汎用機器により汎用記録媒体にコンテンツ情報が不正にコピーされても、これを音声／映像専用装置によっては再生することはできないので、汎用記録媒体へのコンテンツ情報の不正なコピーをも防止することができる。
【０１６４】
［音声／映像用汎用機器について］
次に、前述したこの実施の形態の情報信号複製制御方法、情報信号再生制御方法を用いる情報信号記録装置、情報信号再生装置としての音声／映像用汎用機器について説明する。この実施の形態の音声／映像用汎用機器は、音声信号や映像信号についての処理が可能なコンピュータであり、音声信号や映像信号の記録媒体へのコピーや、記録媒体に記録された音声信号や映像信号の再生を行うことができるとともに、音声信号や映像信号の生成、編集などの各種の情報処理が可能なものである。
【０１６５】
以下においては、前述した音声／映像専用装置の場合と同じように、コンテンツ情報としての音声信号（楽曲）を記録媒体に記録したり、再生したりする場合を例にして説明する。
【０１６６】
図５は、この実施の形態の音声／映像用汎用機器（ＡＶ対応コンピュータ：ＡＶは、オーディオ（Ａ）、ビジュアル（Ｖ）の略称。以下同じ。）３０を説明するためのブロック図である。図５に示すように、この実施の形態の音声／映像用汎用機器は、ＣＰＵ３１、ＲＡＭ３２、バスコントローラ３３、ＡＶ入出力ボード３４、ＡＶ対応インターフェースボード（音声／映像用インターフェース）３５、バスコントローラ３６、ハードディスク装置部３７が内部バス３８を通じて接続するようにされたものである。
【０１６７】
ＣＰＵ３１は、この音声／映像用汎用機器３０の各部を制御するものである。また、ＲＡＭ３２は、不揮発性メモリであり、ＣＰＵ３１により実行される各種の処理においての作業領域として用いられたり、ＵＣＳ方式で複製制御を行う場合のコピー履歴情報を記憶保持するコピー履歴情報管理メモリなどとして用いられる。つまり、ＲＡＭ３２の記憶領域は、例えば、作業領域として用いられる領域や、ＵＣＳ方式で複製制御を行う場合のコピー履歴情報を記憶保持する領域などに複数に分割され用いられるようにされる。
【０１６８】
バスコントローラ３３は、ＣＰＵ３１やＲＡＭ３２と内部バス３８との間のデータの入出力を制御する。ＡＶ入出力ボード３４は、例えば、ＣＤ−ＲＯＭドライバなど、音声信号や映像信号が記録された記録媒体の各種の再生装置や記録再生装置との間の入出力をできるようにする。また、バスコントローラ３６は、この実施の形態においては、ハードディスク３７と内部バス３８との間のデータの入出力を制御する。
【０１６９】
そして、ＡＶ対応インターフェースボード３５は、前述したＡＶ入出力ボードを通じて接続された例えばＣＤ−ＲＯＭドライバによりＣＤーＲＯＭから読み出されたコンテンツ情報としての音声信号を記録媒体に記録したり、あるいは、記録媒体から音声信号（楽曲）を読み出して、再生したりするなどのために設けられたものである。
【０１７０】
このＡＶ対応インターフェースボード３５は、図５に示すように、スイッチ回路３５１と、認証処理部３５２とを備えている。認証処理部３５２は、ＡＶ対応インターフェースボード３５に接続するようにされた記録媒体との間で通信を行い、その記録媒体との間で認証を取る。
【０１７１】
この場合、ＡＶ対応インターフェースボード３５に接続するようにされた記録媒体が、図２を用いて前述した認証処理部１０３を備えた音声／映像用記録媒体１００Ａであるときには、ＡＶ対応インターフェースボード３５の認証処理部３５２と、音声／映像用記録媒体１００Ａの認証処理部１０３との間で相互に認証が取られる。
【０１７２】
そして、ＡＶ対応インターフェースボード３５の認証処理部３５２は、このＡＶ対応インターフェースボード３５に接続するようにされた記録媒体が音声／映像用記録媒体１００Ａであり、認証が取れた場合には、スイッチ回路３５１をオンにするように制御する。また、音声／映像用記録媒体１００Ａにおいては、前述したように、相手先機器が、認証処理部を備えた音声／映像用汎用装置や前述した音声／映像専用装置の場合には、相手先機器との間で認証が取れるので、認証処理部１０３は、スイッチ回路１０２をオンにする。
【０１７３】
これにより、この音声／映像用汎用装置３０は、ＡＶ対応インターフェースボード３５を通じて音声／映像用記録媒体１００Ａのデータ記憶領域１０１にアクセスすることができるようにされる。
【０１７４】
そして、ＡＶ入出力ボード３４を通じて、この実施の形態の音声／映像用汎用機器３０に接続された、例えばＣＤ−ＲＯＭドライバなどの記録媒体の再生装置や記録再生装置により読み出された音声信号を、ＡＶ対応インターフェースボード３５に接続するようにされた音声／映像用記録媒体１００Ａに記録する場合には、この実施の形態の音声／映像用汎用機器は、ＵＣＳ方式で複製制御を行う。
【０１７５】
この実施の形態の音声／映像用汎用機器は、前述した音声／映像専用装置と同様に、例えば、ユーザによる切り換え操作により、等速コピーと高速コピーとを選択することができるようにされる。しかし、この音声／映像用汎用装置においては、等速コピーと、高速コピーとのいづれが選択された場合であっても、ＵＣＳ方式の複製制御を行う。
【０１７６】
音声／映像用汎用機器３０などの汎用機器の場合、その特性上、同じ音声信号（楽曲）を短時間に多数の記録媒体にコピーしたり、また、コンテンツ情報としての音声信号（楽曲）をインターネットなどのネットワークなどを通じて配信したり、配信されてくる音声信号（楽曲）を受信して記録媒体に記録するなどのことができるようにされる。
【０１７７】
しかし、ＡＶ対応インターフェースボード３５を通じての音声信号の記録媒体へのコピーは、前述したＵＣＳ方式の複製制御により１回しか認められないので、音声信号の著作権者の利益を害する不正なコピーを防止することができる。
【０１７８】
また、ＡＶ対応インターフェースボード３５に接続するようにされた記録媒体が、認証処理部１０３を有しない汎用記録媒体１００Ｂである場合には、この音声／映像用汎用機器３０と、汎用記録媒体１００Ｂとの間においては、認証は取れない。
【０１７９】
この場合には、ＡＶ対応インターフェースボード３５の認証処理部３５２により、スイッチ回路３５１がオンにされることはないので、この音声／映像用汎用機器３０を用いては、汎用記録媒体１００Ｂにコンテンツ情報としての音声信号をコピーすることはできないようにされる。
【０１８０】
このように、この音声／映像用汎用機器３０によっては、汎用記録媒体１００Ｂへの音声信号のコピーはできないようにされるので、汎用記録媒体１００Ｂにコピーされた音声信号が、汎用データとして処理されて、複製制御を受けることなく自由にコピーできてしまうという不都合を防止することができる。
【０１８１】
また、この実施の形態の音声／映像用汎用機器によっては、前述した音声／映像専用装置の場合と同様に、汎用記録媒体１００Ｂに記録された情報信号は再生できないようにされる。つまり、認証処理部３５２により認証が取れないので、スイッチ回路３５１がオンにされないためである。これにより、例えば、後述する汎用機器により汎用記録媒体にコンテンツ情報が不正にコピーされても、これを音声／映像用汎用機器によっては再生することはできないので、汎用記録媒体へのコンテンツ情報の不正なコピーをも防止することができる。
【０１８２】
［音声／映像用汎用機器においての記録時の処理について］
次に、図５を用いて前述した、この実施の形態の音声／映像用汎用機器においての記録時の処理について、図６のフローチャートを参照しながら説明する。図６は、この実施の形態の音声／映像用汎用機器により、コンテンツ情報としての音声信号を記録媒体に記録する場合の処理を説明するためのフローチャートである。
【０１８３】
この実施の形態の音声／映像用汎用機器のＡＶ対応インターフェースボード３５に記録媒体が接続するようにされると、ＡＶ対応インターフェースボード３５の認証処理部３５２は、記録媒体との間で認証を取るようにする（ステップＳ２０１）。
【０１８４】
そして、ＣＰＵ３１は、ＡＶ対応インターフェースボード３５において認証が取れたか否かを判断し（ステップＳ２０２）、認証が取れなかったと判断した場合には、図６に示す処理を終了する。すなわち、装填された記録媒体が、認証処理部１０３を有しない汎用記録媒体である場合には、認証されないので、装填された汎用記録媒体への音声信号のコピーおよび装填された汎用記録媒体に記録されているデータの再生は、この音声／映像用汎用機器によってはできないようにされる。
【０１８５】
ステップＳ２０２の判断処理において、認証が取れたと判断した場合には、認証処理部３５２により、スイッチ回路３５１がオンされるので、ＣＰＵ３１は、ＡＶ入出力ボードを通じて供給される音声信号をＡＶ対応インターフェースボード３５に接続するようにされた記録媒体に記録するように各部を制御する。そして、この時、この実施の形態の音声／映像用汎用機器３０は、図８を用いて前述したように、ＵＣＳ方式の複製制御を行うようにする。
【０１８６】
すなわち、ＣＰＵ３１は、ＡＶ入出力ボード３４を通じて入力された音声信号からコンテンツＩＤを検出する（ステップＳ２０３）。そして、ＣＰＵ３１は、検出したコンテンツＩＤと、ＲＡＭ３２のコピー履歴情報管理エリアに記憶されているコンテンツＩＤとを比較するようにして、コピーしようとしている音声信号のコンテンツＩＤと同じコンテンツＩＤを検索する（ステップＳ２０４）。
【０１８７】
そして、ＣＰＵ３１は、コピーしようとしている音声信号のコンテンツＩＤと同じコンテンツＩＤが、ＲＡＭ３２のコピー履歴情報管理エリアに存在するか否かを判断する（ステップＳ２０５）。ステップＳ２０５の判断処理において、同じコンテンツＩＤがあると判断したときには、そのコンテンツＩＤの音声信号は、この音声／映像用汎用機器３０により、既にコピーされたものであるので、ＡＶ対応インターフェースボード３５を制御して、目的とする音声信号のコピーをできないようにし、この図６に示す処理を終了する。
【０１８８】
また、ステップＳ２０５の判断処理において、同じコンテンツＩＤが、ＲＡＭ３２のコピー履歴情報管理エリアに無いと判断したときには、ＣＰＵ３１は、ＡＶ対応インターフェースボード３５を制御して、目的とする音声信号の音声／映像用記録媒体へのコピーを実行し（ステップＳ２０６）、コピーした音声信号のコンテンツＩＤをコピー履歴情報としてＲＡＭ３２のコピー履歴情報管理エリアに記録して、コピー履歴情報管理エリアの情報を更新する（ステップＳ２０７）。
【０１８９】
このように、この実施の形態の音声／映像用汎用機器は、コンテンツ情報としての音声信号をコピーしようとする記録媒体が、どのような情報信号を記録するための記録媒体かを判別し、その記録媒体が、コンテンツ情報としての音声信号の記録が可能な音声／映像用記録媒体である場合に、音声信号のコピーができるようにされ、汎用記録媒体の場合には、コピーはできないようにされる。
【０１９０】
そして、この実施の形態の音声／映像用汎用機器により、音声／映像用記録媒体に音声信号をコピーする場合には、等速コピーか高速コピーかにかかわらず、ＳＣＭＳ方式よりも複製制限の厳しいＵＣＳ方式の複製制御を行う。
【０１９１】
これにより、コピーされた情報信号が複製制限がされることなく可能となってしまう可能性の高い汎用記録媒体へのコンテンツ情報のコピーはできないようにされるとともに、音声信号のコピー時においては、ＵＣＳ方式の複製制御が行われるので、音声信号の著作権者の利益を害するような音声信号の違法なコピーを防止することができる。
【０１９２】
また、音声信号を音声／映像用記録媒体にコピーする場合には、ＵＣＳ方式の複製制御を行うが、少なくとも１回は、音声／映像用記録媒体にコピーすることができるので、音声信号のユーザの利便性を大きく害することもない。
【０１９３】
［汎用機器について］
次に、前述したこの実施の形態の情報信号複製制御方法を用いる情報信号記録装置としての汎用機器について説明する。図７は、この実施の形態の汎用機器４０を説明するためのブロック図である。この実施の形態の汎用機器は、コンピュータデータなどの情報信号についての各種の処理が可能なコンピュータであり、情報信号の生成、修正、削除、記憶などの各種の情報処理が可能なものであり、従来から利用されている汎用機器と同様に構成されたものである。
【０１９４】
図７に示すように、この実施の形態の汎用機器４０は、ＡＶ対応インターフェースボード３５に代えて、汎用インターフェースボード４１を備えるほかは、図５に示した音声／映像用汎用機器３０とほぼ同様に構成されたものである。このため、この実施の形態の汎用機器４０において、図５に示した音声／映像用汎用機器と同様に構成される部分には同じ参照符号を付し、その説明については省略する。
【０１９５】
図７に示すこの実施の形態の汎用機器４０において、汎用インターフェースボード４１は、図５を用いて前述した音声／映像用汎用機器のＡＶ対応インターフェースボード３５と同様に記録媒体とのインターフェースであるが、記録媒体との間で認証を取るための認証処理部やスイッチ回路を有しないものである。
【０１９６】
このため、この実施の形態の汎用機器４０の汎用インターフェースボード４１に、図２を用いて前述した音声／映像用記録媒体１００Ａが接続するようにされた場合には、音声／映像用記録媒体１００Ａの認証処理部１０３は、この汎用機器４０との間で認証が取れないので、音声／映像用記録媒体１００Ａのスイッチ回路１０２をオンにしない。
【０１９７】
このため、この実施の形態の汎用機器４０は、音声／映像用記録媒体１００Ａには、音声信号、映像信号、コンピュータデータなどの各種の情報信号を音声／映像用記録媒体にコピーすることはできないようにされる。これにより、汎用機器を用いて、音声／映像用記録媒体に音声信号などのコンテンツ情報を不正にコピーすることが防止される。
【０１９８】
また、この実施の形態の汎用機器４０の汎用インターフェースボード４１に図３を用いて前述した汎用記録媒体１００Ｂが接続するようにされた場合には、この汎用機器を用いて、音声信号、映像信号、コンピュータデータなどの各種の情報信号を汎用記録媒体に記録することができるようにされる。
【０１９９】
しかし、前述もしたように、音声／映像専用装置や、音声／映像用汎用機器は、汎用記録媒体１００Ｂに記録された情報信号は、認証が取れないために読み出して再生することはできない。このため、汎用機器により音声信号などのコンテンツ情報が、汎用記録媒体にコピーされたとしても、音声／映像専用装置や音声／映像用汎用機器を用いては利用することはできないので、汎用機器を用いてのコンテンツ情報の違法なコピーを防止することができるようにされる。
【０２００】
なお、前述の実施の形態においては、コンテンツ情報としての音声信号を記録媒体にコピーする場合を例にして説明したが、記録媒体に記録する情報信号は、音声信号に限るものではない。例えば、映像信号や、音声信号と映像信号とを記録媒体に記録する場合にもこの発明を適用することができる。
【０２０１】
例えば、映像信号を記録媒体に記録する場合には、ＳＣＭＳ方式の複製制御をを用いる代わりに、ＣＧＭＳ方式の複製制御を用いるようにすればよい。
【０２０２】
また、前述の実施の形態においては、音声／映像用記録媒体と、音声／映像専用装置、音声／映像用汎用機器が、認証処理部を備え、認証処理部を通じて相互に通信をおこなって、認証を取ることにより、記録装置側からは、相手先の記録媒体が音声／映像用記録媒体かを判別し、記録媒体側からは、相手先の記録機器が、音声／映像専用装置、音声／映像用汎用機器かを判別するようにした。
【０２０３】
しかし、認証処理部を通じて認証を取るようにする場合に限ることなく、例えば、記録媒体のユーザには読み出したり、書き込んだりすることができないエリアに、音声／映像用記録媒体か、汎用記録媒体かを示す媒体情報を記録しておき、この媒体情報を音声／映像専用装置、音声／映像用汎用機器により読み出すことによって、どのような情報信号の記録媒体かを判別するようにしてもよい。
【０２０４】
また、前述した実施の形態においては、図８を用いて説明したように、どのような情報信号を記録する装置か、その装置により情報信号が記録される記録媒体は、どのような情報信号の記録媒体か、さらに、等速コピーによる記録か、高速コピーによる記録かにより、複製制御方式を選定するようにした。しかし、これに限るものではない。
【０２０５】
例えば、情報信号が記録される記録媒体は、どのような情報信号の記録媒体かを判別し、この判別結果に基づいて、複製制御方式を選定するようにしてもよい。すなわち、どのような情報信号の記録媒体かを判別し、その記録媒体に本来記録されるべき情報信号が記録されるときには、予め決められた複製制御方式で複製制御を行い、その記録媒体に本来記録されるべき情報信号とは異なる情報信号が記録するようにされたときには、記録を禁止するなどというように、複製制御方式を選定する。
【０２０６】
このようにすることによって、記録媒体に本来記録されるべき情報信号とは異なる情報信号が記録されることにより、例えば、その記録された情報信号が元の情報信号としては扱われずに、例えば汎用データとして扱われて、コピーが自由に行われてしまうなどという不都合を防止することができる。
【０２０７】
また、情報信号を記録しようとしている記録媒体が、音声／映像用記録媒体である場合には、必ず等速コピーを用いて音声信号や映像信号を音声／映像用記録媒体にコピーするようにしてもよい。
【０２０８】
このようにすることによって、コンテンツ情報としての音声信号や映像信号を音声／映像用記録媒体にコピーする場合には、高速コピーはできない用にされるので、短時間に同じコンテンツ情報をコピーした音声／映像用記録媒体を多数作成することはできないようにされるので、コンテンツ情報の不正なコピーを防止し、コンテンツ情報の著作権者の利益や権利を保護することができる。
【０２０９】
また、どのような情報信号の記録媒体かの判別結果と、選定された記録速度が等速か高速かによって複製制御方式を選定するようにしてもよい。例えば、情報信号を記録する記録媒体が音声／映像用記録媒体であり、等速コピーが選定された場合には、ＳＣＭＳ方式やＣＧＭＳ方式の複製世代制限制御を行う、記録媒体が音声／映像用記録媒体であり、高速記録が選定された場合には、ＵＣＳ方式の複製制御を行うようにする。
【０２１０】
このようにすることによって、短時間に同じ情報信号をコピーした記録媒体が作成可能な場合には、ＵＣＳ方式の複製制御を行うことにより、不正なコピーを防止するようにすることができる。
【０２１１】
また、音声信号や映像信号などのコンテンツ情報の不正なコピーを防止するために、情報信号を記録媒体に記録する装置は、どのような情報信号を記録する記録装置かに応じて複製制御方式を選定するようにしたり、また、情報信号を記録媒体に記録する装置は、どのような情報信号を記録する記録装置であり、等速コピーと高速コピーのどちらが用いられるかに応じて、複製制御方式を選定するようにすればよい。
【０２１２】
また、単に、記録媒体に情報信号を記録する際に、等速コピーが用いられるか、高速コピーが用いられるかによって、用いる複製制御方式を選択するようにしてももちろんよい。この場合には、高速コピーで情報信号を記録媒体に記録する場合に、ＵＣＳ方式の複製制御を行うようにするなど、等速コピーを行う場合よりも、複製制限のより厳しい複製制御方式を用いることによって、効果的に情報信号の不正なコピーを防止することができる。
【０２１３】
このように、音声／映像専用装置において、等速コピーを行う場合には、ＳＣＭＳ方式、あるいは、ＣＧＭＳ方式の複製世代制限方式の複製制御を用いることができる。また、大量コピーなどの不正コピーの要因になる可能性の高い高速コピー時には、ＳＣＭＳ方式やＣＧＭＳ方式よりも複製制限の厳しい例えばＵＣＳ方式の複製制御を行うことによって、不正コピーを効果的に防止することができる。
【０２１４】
また、コンピュータなどの汎用機器は、その特性上、情報信号を比較的容易にかつ迅速に記録媒体にコピーしたり、ネットワークを通じて配信したり、配信されてきた情報信号を受信して記録媒体にコピーするなどのことが行えるので、等速コピーであっても、高速コピーであっても、例えば、ＵＣＳ方式の複製制御を行うことによって、コンテンツ情報の不正なコピーを効果的に防止することができる。
【０２１５】
また、記録媒体、記録装置、記録速度に応じて、複製制御方式が選定できるので、音声／映像専用装置や音声／映像用汎用機器を用いた場合には、不正コピーされる可能性の高い汎用記録媒体へのコンテンツ情報の記録を禁止することができる。また、汎用機器から音声／映像用記録媒体への情報信号の記録を禁止することができる。
【０２１６】
また、複製制御の保証がない汎用機器で汎用記録媒体に記録された音声信号や映像信号などのコンテンツ情報は、音声／映像専用装置や音声／映像用汎用機器においては、再生することができないように制御することができる。
【０２１７】
したがって、汎用機器を用いて汎用記録媒体に音声信号や映像信号などのコンテンツ情報をコピーしても音声／映像専用装置や音声／映像用汎用機器においては再生して利用することができないので、コンテンツ情報の不正コピーを防止することができる。
【０２１８】
また、ＵＣＳ方式以外の複製制御方式としては、ＳＣＭＳ方式、ＣＧＭＳ方式の複製世代制限方式を用いるようにしたが、これに限るものではない。例えば、電子透かし技術を用いて、「複製可能（Ｃｏｐｙ  Ｆｒｅｅ）」、「１回複製可能（１世代だけ複製可能）（Ｃｏｐｙ  Ｏｎｃｅ）」、「これ以上の複製禁止（Ｎｏ  Ｍｏｒｅ  Ｃｏｐｙ）」、「絶対複製禁止（Ｎｅｖｅｒ  Ｃｏｐｙ）」のいづれかを示す電子透かし情報を形成し、この電子透かし情報を音声信号や映像信号などのコンテンツ情報に重畳して伝送するようにしてももちろんよい。
【０２１９】
この場合には、記録装置側において、音声信号や映像信号などのコンテンツ情報に重畳された電子透かし情報を抽出し、抽出した電子透かし情報を用いて、複製世代制限制御を行うようにすればよい。
【０２２０】
また、ＳＣＭＳ方式、ＣＧＭＳ方式、電子透かし処理方式、ＵＣＳ方式の複製制御方式だけでなく、その他の各種の複製制御方式を用いるようにしてももちろんよい。
【０２２１】
また、前述した実施の形態においては、ＣＤの再生装置などの音声信号の再生装置により再生された音声信号を記録媒体にコピーする場合を例にして説明したが、コピーする情報信号は、再生装置からの信号に限るものではない。
【０２２２】
例えば、放送メディアを通じて伝送されてくる音声信号や映像信号などのコンテンツ情報や、インターネットなどのネットワークを通じて伝送されてくるコンテンツ情報を記録媒体に記録する場合にも、この発明を適用することができる。このような場合には、伝送するコンテンツ情報に、複製世代制限制御のための情報や、コンテンツＩＤなどの識別情報を付加して伝送するようにすればよい。
【０２２３】
【発明の効果】
以上説明したように、この発明によれば、どのような情報信号の記録媒体か、あるいは、どのような情報信号を記録するための記録装置か、あるいは、情報信号を記録媒体に記録する際の記録速度か、あるいは、これらの組み合わせに応じて、情報信号を記録媒体に記録する際の複製制御方式を選定することができる。
【０２２４】
これにより、情報信号が不正コピーされる要因になる可能性が高い場合には、複製制限のより厳しい複製制御方式を用いるようにすることで、情報信号の著作権者の利益や権利を確実に保護することができる。また、情報信号が不正コピーされる要因になる可能性が低い場合には、複製制限が柔軟な複製制御方式を用いるようにすることで、情報信号の利用者の利便性を害することがないようにすることができる。
【図面の簡単な説明】
【図１】この発明による情報信号複製制御方法、情報信号再生制御方法の一実施の形態が適用されたこの発明による情報信号記録装置、情報信号再生装置としての音声／映像専用装置を説明するためブロック図である。
【図２】この発明による情報信号記録媒体の一実施の形態が適用された音声／映像用記録媒体を説明するための図である。
【図３】汎用データ用記録媒体（汎用記録媒体）を説明するための図である。
【図４】図１に示した音声／映像専用装置において実行される情報信号の記録時の処理を説明するための図である。
【図５】この発明による情報信号複製制御方法、情報信号再生制御方法の一実施の形態が適用されたこの発明による情報信号記録装置、情報信号再生装置としての音声／映像用汎用機器を説明するためブロック図である。
【図６】図５に示した音声／映像用汎用機器において実行される情報信号の記録時の処理を説明するための図である。
【図７】汎用機器を説明するための図である。
【図８】この発明による情報信号複製制御方法を説明するための図である。
【符号の説明】
１…メディアインターフェース（メディアＩ／Ｆ）、２…認証処理部、３…媒体判別部、４…入力端子、５…入力インターフェース（入力Ｉ／Ｆ）、６…データ圧縮処理部、７…暗号化部、８…書き込み制御部、９…書き込み部、１０…切り換え部、１１…ＳＣＭＳ情報検出部、１２…コンテンツＩＤ検出部、１３…切り換え部、１４…暗号解読部、１５…データ伸長処理部、１６…出力インターフェース（出力Ｉ／Ｆ）、１７…出力端子、２０…コントロール部、２１…キー操作部、２２…コピー履歴情報管理メモリ、１００…記録媒体、１００Ａ…音声／映像用記録媒体、１００Ｂ…汎用データ用記録媒体、１０１…データ記憶領域、１０２…スイッチ回路、１０３…認証処理部、３０…音声／映像用汎用機器、３１…ＣＰＵ、３２…ＲＡＭ、３３…バスコントローラ、３４…ＡＶ入出力ボード、３５…ＡＶ対応インターフェースボード、３５１…スイッチ回路、３５２…認証処理部、３６…バスコントローラ、３７…ハードディスク、４１…汎用インターフェースボード
【図１】
0004058573.tif 000002
【図２】
0004058573.tif 000003
【図３】
0004058573.tif 000004
【図４】
0004058573.tif 000005
【図５】
0004058573.tif 000006
【図６】
0004058573.tif 000007
【図７】
0004058573.tif 000008
【図８】
0004058573.tif 000009